(57)【特許請求の範囲】
【請求項１】
レンズとは非接触のフロントフレームと、該フロントフレームと一体的に連結され少なくともレンズを固定するためのレンズ固定部を備えたフロントパーツと、前記フロントフレームに一体的に連結されるテンプルとが、一枚の板材から構成されている眼鏡フレームであって、
前記テンプルは、前記フロントフレームの左右両端に位置するヨロイ部からＵ字形状の折り返し部を介して後方に延びていることを特徴とする眼鏡フレーム。
【請求項２】
前記テンプルは、前記ヨロイ部から折り返し部を介して折り返されるテンプル本体部と、テンプル本体部の後端から、さらにＵ字形状に折り返される折り返し部を介してさらに後方に延びるモダン装着軸と、を備えている請求項１に記載の眼鏡フレーム。
【請求項３】
前記フロントフレームは、レンズとは接触しない左右の疑似リム部と、該疑似リム部の中央部側の端部を連結するブリッジ部と、ブリッジ部と反対側の端部に位置するヨロイ部とを備え、
前記フロントパーツは、フロントフレームに対して連結片によって離間して連結されており、
前記連結片は、前記左右の疑似リム部の前記ブリッジ部と左右のヨロイ部との間に位置している請求項１又は２に記載の眼鏡フレーム。
【請求項４】
前記フロントフレームの各疑似フレームは、前記フロントパーツが連結される連結片よりもヨロイ部側の部分の弾性変形によってテンプルが開閉する構成となっている請求項１乃至３のいずれかの項に記載の眼鏡フレーム。
【請求項５】
前記フロントフレームの疑似フレームは、前記前記連結片からヨロイ部に向けて途中でレンズと交差する構成となっている請求項１乃至４のいずれかの項に記載の眼鏡フレーム。
【請求項６】
テンプルのフロントフレーム側の折り返し部にて、テンプルの開き角度調整、テンプルの上下の角度調整が可能となっている請求項１乃至５のいずれかの項に記載の眼鏡フレーム。
【請求項７】
前記フロントパーツには、パッド足も一体成形されている請求項１乃至６のいずれかの項に記載の眼鏡フレーム。
【請求項８】
レンズとは非接触のフロントフレームを成形するための平面的なフロントフレーム対応部と、少なくともレンズを固定するためのレンズ固定部を成形するためのレンズ固定部対応部を備えたフロントパーツ対応部と、フロントフレームに一体的に連結されるテンプルに対応するテンプル対応部とが、互いに干渉しない形態で一つの平面上に一体的に配置された構成で、
前記フロントフレーム対応部と前記フロントパーツ対応部が連結片によって上下逆向きに連結され、
前記テンプル対応部は、フロントフレーム対応部の左右両端に位置するヨロイ部側を固定端とし、自由端がフロントフレームに沿って中央部側に互いに近づく方向に延びる片持ち形態で、フロントフレームに対して閉じた形態となっており、
さらに、前記テンプル対応部の自由端部を固定端部としてモダン装着軸対応部がヨロイ部側に向けて延びていることを特徴とする眼鏡フレーム成形用のプレフレーム。
【請求項９】
フロントパーツ対応部には、パッド足を成形するための平面的なパッド足対応部も一体成形されている請求項８に記載の眼鏡フレーム成形用のプレフレーム。
【請求項１０】
板材から請求項８に記載の平面構成の眼鏡フレーム成形用のプレフレームを成形し、
前記連結片を折り返してフロントフレーム対応部にフロントパーツ対応部を重ね、フロントフレーム及びレンズ固定部を備えたフロントパーツを成形し、
前記テンプル対応部の固定端部を折り返してフロントフレーム対応部に対して展開してテンプルを成形し、
さらに、モダン装着軸対応部をテンプル対応部に対して折り返してモダン装着軸を成形する眼鏡フレームの成形方法。
【請求項１１】
プレフレームのフロントパーツ対応部に、パッド足を成形するための平面的なパッド足対応部も一体成形されており、パッド足対応部を曲げてパッド足を成形する請求項１０に記載の眼鏡フレームの成形方法。
【発明の詳細な説明】
【技術分野】
【０００１】
本発明は、平面形態のプレフレーム（中間製品）を成形し、このプレフレームから成形される眼鏡フレーム、眼鏡フレーム成形用のプレフレーム並びに眼鏡フレームの成形方法に関する。
【背景技術】
【０００２】
眼鏡の部品点数の削減、製造工程の工程数の削減を図るために、本発明者は、既に、一対のリム部，リム部同士を繋ぐブリッジ部、及び一対のリム部それぞれに設けられる智部を含むフロントが、一枚の板材から構成した眼鏡フレームを提案している（特許文献１参照）。
【先行技術文献】
【特許文献】
【０００３】
【特許文献１】特開２００８−１４５５３５号公報
【発明の概要】
【発明が解決しようとする課題】
【０００４】
しかし、リムによってレンズを支持するために、フレームに力が加わると、その歪みがレンズに作用し、レンズが外れてしまう場合がある。また、リムは必ずレンズの周縁を保持する構成であり、デザインが制約されてしまう。
また、従来は、丁番を介してテンプルを支持する構成であり、テンプルは別体構造となっており、依然として部品点数及び製造工数がかかるというネックがあった。
【０００５】
本発明の目的は、リムの制約を無くし、さらにテンプルまで一体として、さらなる部品点数の減少、及び製造工程数の減少を図り得る眼鏡フレーム及び眼鏡フレーム成形用のプレフレーム並びに眼鏡フレームの成形方法を提供することにある。
【課題を解決するための手段】
【０００６】
上記課題を解決するために、本発明の眼鏡フレームは、
レンズとは非接触のフロントフレームと、該フロントフレームと一体的に連結され少なくともレンズを固定するためのレンズ固定部を備えたフロントパーツと、前記フロントフレームに一体的に連結されるテンプルとが、一枚の板材から構成されている眼鏡フレームであって、
前記テンプルは、前記フロントフレームの左右両端に位置するヨロイ部からＵ字形状の折り返し部を介して後方に延びていることを特徴とする。
前記テンプルは、前記ヨロイ部から折り返し部を介して折り返されるテンプル本体部と、テンプル本体部の後端から、さらにＵ字形状に折り返される折り返し部を介してさらに後方に延びるモダン装着軸と、を備えた構成とすることができる。
好適な形態としては、前記フロントフレームは、レンズとは接触しない左右の疑似リム部と、該疑似リム部の中央部側の端部を連結するブリッジ部と、ブリッジ部と反対側の端部に位置するヨロイ部とを備え、前記フロントパーツは、フロントフレームに対して連結
片によって離間して連結されており、
前記連結片は、前記左右の疑似リム部の前記ブリッジ部と左右のヨロイ部との間に位置していることが好ましい。
さらに好適な形態としては、前記フロントフレームの各疑似フレームは、前記フロントパーツが連結される連結片よりもヨロイ部側の部分の弾性変形によってテンプルが開閉する構成とすることが好適である。
【０００７】
また、前記フロントフレームの疑似フレームは、前記前記連結片からヨロイ部に向けて途中でレンズと交差する構成となっていることが好適である。
【０００８】
また、テンプルのフロントフレーム側の折り返し部にて、テンプルの開き角度調整、テンプルの上下の角度調整が可能である。
また、フロントパーツには、パッド足も一体成形されていることが好適である。
【０００９】
一方、本発明の眼金フレーム成形用のプレフレームは、レンズとは非接触のフロントフレームを成形するための平面的なフロントフレーム対応部と、少なくともレンズを固定するためのレンズ固定部を成形するためのレンズ固定部対応部を備えたフロントパーツ対応部と、フロントフレームに一体的に連結されるテンプルに対応するテンプル対応部とが、互いに干渉しない形態で一つの平面上に一体的に配置された構成で、
前記フロントフレーム対応部と前記フロントパーツ対応部が連結片によって上下逆向きに連結され、
前記テンプル対応部は、フロントフレーム対応部の左右両端に位置するヨロイ部側を固定端とし、自由端がフロントフレームに沿って中央部側に互いに近づく方向に延びる片持ち形態で、フロントフレームに対して閉じた形態となっており、
さらに、テンプル対応部の自由端部を固定端部としてモダン装着軸対応部がヨロイ部側に向けて延びていることを特徴とする。
フロントパーツ対応部には、パッド足を成形するための平面的なパッド足対応部も一体成形されていることが好ましい。
【００１０】
本発明の眼鏡フレームの成形方法は、レンズとは非接触のフロントフレームを成形するための平面的なフロントフレーム対応部と、少なくともレンズを固定するためのレンズ固定部を成形するためのレンズ固定部対応部を備えたフロントパーツ対応部と、フロントフレームに一体的に連結されるテンプルに対応するテンプル対応部とが、互いに干渉しない形態で一つの平面上に一体的に配置された構成で、
前記フロントフレーム対応部と前記フロントパーツ対応部が連結片によって上下逆向きに連結され、
前記テンプル対応部は、フロントフレーム対応部の左右両端に位置するヨロイ部側を固定端とし、自由端がフロントフレームに沿って中央部側に互いに近づく方向に延びる片持ち形態で、フロントフレームに対して閉じた形態となっており、
さらに、前記テンプル対応部の自由端部を固定端部としてモダン装着軸対応部がヨロイ部側に向けて延びている平面構成の眼鏡フレーム成形用のプレフレームを成形し、
前記連結片を折り返してフロントフレーム対応部にフロントパーツ対応部を重ね、フロントフレーム及びレンズ固定部を備えたフロントパーツを成形し、
前記テンプル対応部の固定端部を折り返してフロントフレーム対応部に対して展開してテンプルを成形し、
さらに、モダン装着軸対応部をテンプル対応部に対して折り返してモダン装着軸を成形することを特徴とする。
プレフレームのフロントパーツ対応部に、パッド足を成形するための平面的なパッド足対応部も一体成形されており、パッド足対応部を曲げてパッド足を成形することが好適である。
【発明の効果】
【００１１】
本発明によれば、フロントフレームと同時にテンプルについても一枚の板材によって成形できるので、部品点数を減少させ、さらなる製造工程数を減少させることができる。
また、フロントフレームに対して後面側に折り曲げられたフロントパーツに設けられたレンズ固定部にてレンズを支持するために、フロントフレームが変形しても、その歪みが直接レンズに作用しない。
また、フロントフレームとレンズとは無関係なので、デザイン上の自由度が向上する。
【図面の簡単な説明】
【００１２】
【図１】図１は本発明の実施の形態１に係る眼鏡フレームを示すもので、（Ａ）はレンズを取り付けた状態の斜視図、（Ｂ）はレンズを外した状態の後ろ側から見た斜視図である。
【図２】図２は図１の眼鏡フレーム成形用のプレフレームの正面図である。
【図３】図３は図２のプレフレームのモダン装着軸を折り返した状態の図である。
【図４】図４（Ａ）は図２のプレフレームをさらにテンプル対応部を折り返した状態の正面図、（Ｂ）はフロントパーツ部を折り返した状態の正面図である。
【図５】図５はフロントフレームを湾曲させた状態の斜視図である。
【図６】図６は図５を上方から見た図である。
【図７】図７は本発明の実施の形態２に係る眼鏡フレームを示すもので、（Ａ）はレンズを取り付けた状態の斜視図、（Ｂ）は（Ａ）の眼鏡フレーム成形用のプレフレームの正面図である。
【図８】図８は眼鏡フレームのテンプルの折り返し部の各種形態を示す斜視図である。
【図９】図９は眼鏡フレームのテンプルの折り返し部の各種形態を示す上面図である。
【図１０】図１０はテンプル及びプレフレームの他の形態を示す図である。
【図１１】図１１はテンプル及びプレフレームの他の形態を示す図である。
【図１２】図１２はフロントフレームとフロントパーツの他の構成例を示す説明図である。
【図１３】図１３はヨロイ部及びテンプルの折り返し部の他の構成例を示す図である。
【図１４】図１４はヨロイ部及びテンプルの折り返し部の他の構成例を示す図である。
【図１５】図１５はテンプルの折り返し部の他の構成例を示す図である。
【図１６】図１６はテンプルとヨロイの他の構成例を示す図である。
【図１７】図１７はフロントパーツの他の形態例を示す図である。
【発明を実施するための形態】
【００１３】
以下に図面を参照して、本発明の実施の形態を詳細に説明する。ただし、この実施の形態に記載されている構成部品の寸法、材質、形状、その相対配置などは、特に特定的な記載がない限りは、この発明の範囲をそれらのみに限定する趣旨のものではない。
【００１４】
［実施の形態１］
図１及び図２は、本発明の実施の形態１に係る眼鏡フレーム及びその眼鏡フレーム成形用のプレフレームを示している。
【００１５】
すなわち、本発明の眼鏡フレーム１は、図１に示すように、レンズ２とは非接触のフロントフレーム１０と、フロントフレーム１０と一体的に連結され少なくともレンズ２を1
点で固定するためのレンズ固定部を備えたフロントパーツ２０と、フロントフレーム１０に一体的に連結されるテンプル３０とが、一枚の平面的な板材から一体的に成形された構成となっている。テンプル３０には、別体のモダン４０が装着され、パッド足２１には別体のノーズパッド５０が装着される。
【００１６】
フロントフレーム１０は、レンズ外周が非接触状態で、レンズに干渉しない状態でレンズを取り囲むように設けられる左右の疑似リム部１１、１１（リムとしてのレンズ保持機能を備えていないが、デザイン上はリムに見える）と、疑似リム部１１，１１間を連結するブリッジ部１３と、左右の疑似リム部１１，１１の側方端に位置するヨロイ部１５を備えている。疑似リム部１１、１１は、レンズが上部疑似リム部と、上部疑似リム部１１Ｕの左右両端に連結されるＵ字形状の下部疑似リム部１１Ｌとを有する構成となっており、上部疑似リム部１１Ｕ，１１Ｕは上方に向かって円弧状に湾曲する湾曲形状となっている。
【００１７】
疑似リム部１１は、正面視でレンズ２の外周に沿った形状であるが、ブリッジ部１３に近い側である中央寄りの部分はレンズ２に対して所定距離だけ前方に位置し、左右の側方端に向けて徐々に後方に湾曲し、この後方湾曲部がレンズ２の位置を通り越してレンズ２よりも後方に延びる構成となっている。
【００１８】
ヨロイ部１５は矩形状で、上下の幅が疑似リム部１１の幅よりも大きく、この例ではテンプル３０が、ヨロイ部１５から延びる構成であり、テンプル３０の幅よりも広い。フロントパーツ２０は、フロントフレーム１０のブリッジ部１３の後面側に位置するブリッジ部１３に近い形状の門形状のパーツ本体部２１と、このパーツ本体部２１の上部左右両端から上部疑似リム部１１Ｕ、１１Ｕに沿って左右に延びる支持アーム部２２，２２と、パーツ本体部２１の脚部２１ａ、２１ａから側方に突出するレンズ固定部を構成する固定片２５、２５と、固定片２５、２５の両脇から後方に向かって折曲して延びる一対の支持片２６、２６が設けられている。
【００１９】
パッド足２３は、パーツ本体部２１の脚部２１ａ，２１ａの下端から後方に延びる所定量突出する後軸部２３ａと、後軸部２３ａの先端からＵ字状に屈曲する屈曲部２３ｂを介して下方に延びる縦軸部２３ｃと、縦軸部２３ｃの先端に設けられるパッド固定枠２３ｄとを備えており、パッド固定枠２３ｃにノーズパッド５０の凸部５１が嵌合固定されている。
【００２０】
テンプル３０は、フロントフレーム１０の左右両端に位置するヨロイ部１５から、Ｕ字状に折り返される折り返し部３１を介して、後方に延びるテンプル本体部３３と、テンプル本体部３３の後端からさらにＵ字状に折り返される折り返し部３５を介して、さらに後方に延びるモダン装着軸３７とから構成されている。
テンプル本体部３３は、モダン装着軸３７に対応する形状の長穴３３ａを備えた形状で、一対の平行に延びるテンプル線部３３ｂ、３３ｂによって構成され、前後端部がヨロイ部１５及び後端矩形部３８に接続されている。
テンプル本体部３３の前端折り返し部３５の付け根部には屈曲部３４が設けられている。また、テンプル本体部３３は外側に向かって凸の湾曲が付けられている。ここで、外側とは顔面に装着した際に、顔に面する側とは反対側である。
【００２１】
図２は、本発明の眼鏡フレームを成形するための中間成形体としての平面プレフレーム１００を示している。
このプレフレーム１００は、眼鏡フレーム１を平面的に展開した形状で、１枚の金属板を所定形状に抜いて成形される。フロントフレーム１０となるフロントフレーム対応部１１０と、パッド足２１とレンズ２を固定するためのレンズ固定部２５を備えたフロントパーツ２０となるフロントパーツ対応部１２０と、テンプル３０となるテンプル対応部１３０とを備え、これらの構成部分が互いに干渉しない形態で一つの平面上に配置され、一枚の展開フレームとして一体的に構成されている。
この例では、金属板をレーザで切り抜いたものであるが、金型を用いて打ち抜いてもよいし、エッチング等によって不要な部分を除去して所定形状に成形したものである。素材の材質については、特に限定されないが、本実施の形態ではβチタンが用いられている。
【００２２】
平面プレフレーム１００は、フロントフレーム対応部１１０を中心として、前記フロントパーツ対応部１２０が２個所の連結片１１７によって上下逆向きに連結され、前記フロントフレーム対応部の左右両端部に前記テンプル対応部の一端が連結され、前記テンプル対応部の先端はフロントフレーム対応部の左右両端部からフロントフレーム対応部に沿って、フロントフレーム対応部の中央部に向けて互いに対向して近づく方向に延びている。
フロントフレーム対応部１１０は、フロントフレーム１０を平面的に展伸させた形態で
、左右の疑似リム対応部１１１、１１１と、疑似リム対応部１１１，１１１間を連結するブリッジ対応部１１３と、左右の疑似リム対応部１１１，１１１の側方端に位置するヨロイ対応部１１５，１１５を備えている。
【００２３】
フロントパーツ対応部１２０は、フロントフレーム対応部１１０のブリッジ対応部１１３の後面側に位置する門形状のパーツ本体対応部１２１と、このパーツ本体対応部１２１の左右両端から上部疑似リム対応部１１１Ｕ、１１１Ｕに沿って左右に延びる支持アーム対応部１２２，１２２と、パーツ本体対応部１２１の脚部対応部１２１ａ、１２１ａから側方に突出する固定片対応部１２５、１２５と、固定片対応部１２５、１２５の両脇から後方に向かって折曲して延びる一対の支持片対応部１２６、１２６が設けられている。
【００２４】
パッド足対応部１２３は、パーツ本体対応部１２１の脚部対応部１２１ａ，１２１ａの下端から後軸対応部１２３ａと、後軸対応部１２３ａの先端からＵ字状に屈曲する屈曲部対応部１２３ｂを介して下方に延びる縦軸対応部１２３ｃと、縦軸対応部１２３ｃの先端に設けられるパッド固定枠対応部１２３ｄとを備えており、パッド固定枠対応部１２３ｃにノーズパッド５０の凸部５１が嵌合固定されている。
テンプル対応部１３０は、フロントフレーム対応部１１０の左右両端に位置するヨロイ対応部１１５，１１５に一端が連結され、フロントフレーム対応部１１０の左右のリム対応部１１１、１１１の中を、フロントフレーム構成部対応部の中央部に向けて互いに対向して近づく方向に延びている。
【００２５】
また、テンプル対応部１３０には、長穴が形成されたテンプル本体対応部１３３と、テンプル本体対応部１３３の長穴１３３ａ内に設けられるモダン装着軸対応部１３７とを備えている。モダン装着軸対応部１３７の一端はテンプル本体対応部１３３のヨロイ対応部１１５と反対側の中央側端部に連結されている。
テンプル本体対応部１３３は、モダン装着軸対応部１３７に対応する形状の長穴３３ａを備えた構成で、一対の平行に延びるテンプル線対応部１３３ｂ、１３３ｂによって構成され、前後端部がヨロイ対応部１１５及び後端矩形部対応部１３８に接続されている。
【００２６】
図３乃至図６には、この平面形態プレフレームから眼鏡フレームを成形する成形手順を示している。
まず、図３（Ａ）に示すように、プレフレーム１００のテンプル対応部１３０のモダン装着軸対応部１３７の後端矩形対応部１３８との付け根部を１８０°折り返して後端折り返し部３５を成形し、後端折り返し部３５から延びるモダン装着軸３７とする。
次に、図３（Ｂ）に示すように、テンプル本体対応部１３３をヨロイ対応部１１５の付け根部にて１８０°折り返して展開し、この折り返し部３１から延びるテンプル３０を成形する。
また、連結片１１７を折り返してフロントフレーム対応部１１０の後面側にフロントパーツ対応部１２０を重ねる。さらに、フロントフレーム対応部１１０の左右両端部を後方に向けて立体的に湾曲させる（図４、図５参照）。すなわち、フロントフレーム対応部１１０の左右の疑似リム部１１の連結片１１７から左右の両端側の部分を後方に湾曲させる。
【００２７】
さらに、フロントパーツ対応部１２０のレンズ固定片２５に隣接する支持片対応部１２６，１２６を後方に略９０°折り曲げで支持片２６，２６とし、さらに、パッド足対応部１２３を折曲してパッド足２３を成形する。
そして、モダン装着軸３７にモダンを装着し、支持片２６，２６には別途樹脂チューブが装着される。
レンズ２は、木端面を支持片２６，２６に当接させ、固定片２５にレンズ面にあてがって、ねじ止めする。
【００２８】
以上、本発明の実施の形態によれば、フロントフレーム１０と同時にテンプル３０についても一枚の板材によって成形できるので、部品点数を減少させ、さらなる製造工程数を減少させることができる。
また、フロントフレーム１０に対して後面側に折り曲げられたフロントパーツ３０に設けられたレンズ固定部２５にて１点でレンズ２を支持するために、フロントフレーム１０が変形しても、その歪みが直接レンズ２に作用せず、レンズ２が外れることはない。
また、フロントフレーム１０とレンズ２とは無関係なので、デザイン上の自由度が向上する。
【００２９】
図７は、本発明の実施形態２に係る眼鏡フレームを示すものである。
この眼鏡フレームが、実施の形態１の上半分だけで構成されたもので、フロントフレームが疑似上リム部のみで構成され、これに続くテンプルも、テンプル線部のみで構成されている点で相違する。以下の説明では、主として相違点のみを説明するものとし、同一の構成部分は同一の符号を付して説明は省略するものとする。
【００３０】
本実施の形態２に係る眼鏡フレーム１は、図７（Ａ）に示すように、フロントフレーム２１０と、パッド足２３とレンズ２を固定するためのレンズ固定部２５を備えたフロントパーツ２０と、テンプル２３０と、を備えている。テンプル２３０には、別体のモダン２４０が装着され、パッド足２１には別体のノーズパッド５０が装着される。
フロントフレーム２１０は、レンズ外周が非接触状態で、レンズ２に干渉しない状態で設けられる上部疑似リム部２１１、２１１（リムとしてのレンズ保持機能を備えていないが、デザイン上はリムに見える）と、上部疑似リム部２１１，２１１間を連結するブリッジ部２１３と、左右の上部疑似リム部２１１，２１１の側方端に位置するヨロイ部２１５，２１５を備えている。
【００３１】
上部疑似リム部２１１は、正面視でレンズ２の上縁に沿った形状であるが、ブリッジ部２１３に近い側である中央寄りの部分はレンズ２に対して所定距離だけ前方に位置し、左右の側方端に向けて徐々に後方に湾曲し、この後方湾曲部がレンズ２の位置を通り越してレンズ２よりも後方に延びる構成となっている。
ヨロイ部２１５は矩形状で、上下の幅が上部疑似リム部２１１の幅よりも大きく、この例ではテンプル２３０が、ヨロイ部２１５の下半部から延びる構成である。フロントパーツ２０は、実施の形態１と全く同一である。
【００３２】
テンプル２３０は、フロントフレーム２１０の左右両端に位置するヨロイ部２１５から、Ｕ字状に折り返される折り返し部２３１を介して、後方に延びるテンプル本体部２３３と、テンプル本体部２３３の後端からさらにＵ字状に折り返される折り返し部２３５を介して、さらに後方に延びるモダン装着軸２３７とから構成されている。
ここで、前端の折り返し部２３１及び後端折り返し部２３５は、いずれも外側に向かってＵ字状に折り返されている。
テンプル本体部３３の前端折り返し部２３５のテンプル本体部２３３側には適宜屈曲部が設けられる。テンプル本体部２３３は外側に向かって凸の湾曲が付けられている点は同一である。
【００３３】
図７（Ｂ）は、本発明の眼鏡フレームを成形するための中間成形体としての平面プレフレーム３００を示している。このプレフレーム３００は、実施の形態１のプレフレーム１００の上半分の構成である。
すなわち、このプレフレーム３００は、フロントフレーム２１０となるフロントフレーム対応部３１０と、パッド足２１とレンズ２を固定するためのレンズ固定部２５を備えたフロントパーツ２０となるフロントパーツ対応部１２０と、テンプル２３０となるテンプ
ル対応部３３０とを備え、これらの構成部分が互いに干渉しない形態で一つの平面上に配置され、一枚の展開フレームとして一体的に構成されている。
【００３４】
プレフレーム３００は、フロントフレーム対応部３１０を中心として、前記フロントパーツ対応部１２０が２個所の連結片１１７によって上下逆向きに連結され、前記フロントフレーム対応部３１０の左右両端部に前記テンプル対応部３３０の一端が連結され、前記テンプル対応部３３０の先端はフロントフレーム対応部３１０の左右両端部からフロントフレーム対応部３１０に沿って、フロントフレーム対応部３１０の中央部に向けて互いに対向して近づく方向に延びている。
【００３５】
フロントフレーム対応部３１０は、フロントフレーム１０を平面的に展伸させた形態で、左右の疑似リム対応部３１１、３１１と、疑似リム対応部３１１，３１１間を連結するブリッジ対応部３１３と、左右の疑似リム対応部３１１，３１１の側方端に位置するヨロイ対応部３１５，３１５を備えている。
フロントパーツ対応部１２０は、図２と同じである。
【００３６】
また、テンプル対応部３３０は、細いテンプル本体対応部３３３と、テンプル本体対応部３３３の自由端部から外側に延びるモダン装着軸対応部３３７とを備えている。モダン装着軸対応部３３７の一端はテンプル本体対応部３３３のヨロイ対応部３１５と反対側の中央側端部に連結されている。テンプル本体対応部３３３とモダン装着軸対応部３３７は互いに平行に延びている。
【００３７】
本発明の実施の形態２によっても、フロントフレーム２１０と同時にテンプル２３０についても一枚の板材によって成形できるので、部品点数を減少させ、さらなる製造工程数を減少させることができる。本実施の形態２の方がより材料が少ない。
また、フロントフレーム２１０に対して後面側に折り曲げられたフロントパーツ２０に設けられたレンズ固定部２５にて１点でレンズ２を支持するために、フロントフレーム２１０が変形しても、その歪みが直接レンズ２に作用せず、レンズ２が外れることはない。
また、フロントフレーム２１０とレンズ２とは無関係なので、デザイン上の自由度が向上する。
【００３８】
図８乃至図１７は、本発明の各種変形例を示している。
図８及び図９は、テンプルの折り返し部の各種変形例を示している。
ここでは、実施の形態１あるいは実施の形態２との相違点のみを説明ものとし、同一の機能部分については同一の符号を付して説明する。
図８は、実施の形態１の変形例で、前端折り返し部３１は外側に折り返し、後端折り返し部３５は内側に折り返した例で、（Ａ）、（Ｂ）は前端折り返し部３１の近傍に屈曲部を設けたもの、（Ｃ）、（Ｄ）は折り返し部３１に近傍に屈曲部が無い例である。
図９は、実施の形態２の例で、前端折り返し部２３１は内側に折り返し、後端折り返し部２３５も内側に折り返した例で、（Ａ）、（Ｂ）は前端折り返し部２３１の近傍に屈曲部を設けたもの、（Ｃ）、（Ｄ）は前端折り返し部２３１に近傍に屈曲部が無い例である。
【００３９】
図１０は、眼鏡フレーム及びプレフレームのテンプル部分の他の形態例を示す図である。
図１０（Ａ）では、テンプル本体部３３はフロントフレーム１０の疑似リム部１１と一体的に成形されており、モダン装着軸３７のみがテンプル本体部３３に対して折り返される構成となっている。
上記実施の形態では、テンプル３０は、プレフレームから、テンプル本体部３３とモダン装着軸３７を２段階に折り返して展開する構成であったが、この例は、図１０（Ｂ）に
示すように、プレフレーム１００のモダン装着軸対応部１３７にジグザグ状の伸縮可能部１３９を形成したものである。プレフレーム１００のフロントフレーム対応部１１０からテンプル対応部１３０を折り返して展開した後、伸縮可能部１３９を伸長させてテンプル３０を成形する（図１０（Ｄ）参照）。
このようにすれば、プレフレーム１００の、フレーム本体対応部１１０からテンプル本体部３３までの長さＷｏを、図中、Ｗ１だけ短くすることができる。
この例では、モダン装着軸対応部１３７のみを伸縮する構成としたが、場合によっては、テンプル本体部３３についても伸縮する構成とすることができる。
この例では、テンプルについては、プレフレームの段階で、フロントフレームのヨロイ対応部からテンプル本体はフロントフレームの中央側ではなく、外側に張り出すように成形しておき、モダン装着軸対応部をテンプル本体対応部に対して折り畳むような形態、すなわちテンプル本体対応部の自由端をモダン装着軸対応部の固定端として、自由端をフロントフレームの中央に向けて延びる構成としている。
もっとも、テンプル本体、モダン装着軸に限定されず、テンプルの途中まではフロントフレーム対応部のヨロイ対応部から外側に張り出す形態で形成しておき、残りの部位をフロントフレーム対応部の中央に向けて延びる形態とすることができる。このような形態を折り返し形態とすると、折り返し部が１個所、上記実施の形態１，２では２個所となるが、折り返し部をさらに３カ所以上とすることも可能である。プレフレームでは、折り返し部となるのは、順番に折り返して展開していく部分を、フロントフレーム対応部の外側から中央側、中央側から外側と、互いに反対方向にジグザグ状に形成される。
【００４０】
図１１は、フロントフレーム１０のヨロイ部１５がリング状となっている例である。
この場合、プレフォーム１００のフロントフレーム対応部１１０には、上部疑似リム対応部１１１Ｕにヨロイ部１５があり、テンプル対応部１３０は、下部疑似リム対応部の１１１Ｌの端部を固定端部としてヨロイ側端部から中央に向かって延びる形態で、テンプル対応部１３０を折り返す際に、ヨロイ部１５を潜らせて折り返す構成となっている。この例では、折り返し部３１ａは、細い折り返し片１３１ａとなっており、リング状のヨロイ部１５に設けられた切欠き１５ａに嵌り込んで、ヨロイ部１５を挟むようにして連結される構成となっている。
【００４１】
図１２は、テンプル３０の折り返し部３１を、ぜんまい状に巻いてばねヒンジを構成したものである。この折り返し部３１の巻方向によって、テンプル３０を常時閉じる方向、あるいは常時開く方向にばね力を作用させることができる。図１２（Ｂ）は、中心から図中時計方向に巻いたもので、常時閉方向にばね力が作用し、装着時にばね力に抗してテンプル３０を開く。図１２（Ｃ）は、中心から図中反時計回り方向に巻いたもので、常時開方向にばね力が作用し、収納時にばね力に抗してテンプル３０を閉じる。
図示例では、フロントフレーム１０は下部疑似リム１１Ｌだけが設けられた例であるが、フロントフレーム１０の形状は、特に限定されない。
【００４２】
図１３は、テンプル２３０の折り返し部２３１をねじって、テンプル２３０の面を上下に向けた例である。折り返し部２３１をねじると、フロントフレーム２１０の疑似リム部２１１がねじれる。
図１３（Ｃ）は、一度ねじり、さらに互いに直交方向に２段階に折り返したものである。
【００４３】
図１４（Ａ）は、フロントフレーム１０の上部疑似リム１１Ｕと下部疑似リム１１Ｌの端部にそれぞれ一対のテンプル片３３ｂ、３３ｂが折り返し部３１，３１を介して連結された構成で、それぞれの折り返し部３１，３１がねじられ、テンプル片３３ｂ、３３ｂの面が上下に向けて重なった構成となっている。上下の折り返し部３１、３１についても上下に接触する構成となっている。
図１４（Ｂ）は、テンプル２３０の折り返し部２３１とテンプル本体部２３３との間に、局部的に細くしてジグザグ状に屈曲させたばね作用部２３４を設けた例である。
【００４４】
図１５（Ａ）、（Ｂ）は、テンプル３０の折り返し部３１の曲率が大きい構成で、すなわち曲率半径が小さく、フロントフレーム１０に対してほぼ直角に延びている。
【００４５】
図１６も、図１０と同様に、テンプル本体部３３はフロントフレーム１０の疑似リム部１１と一体的に成形されて、モダン装着軸３７のみがテンプル本体部３３に対して折り返される構成となっている。
すなわち、フロントフレーム１０の上部疑似リム１１Ｕと下部疑似リム１１Ｌの端部には、テンプル本体半部３３Ｕ、３３Ｌが形成され、それぞれのテンプル本体半部３３Ｕ，３３Ｌを重ねてテンプル本体部３３が成形されている。
プレフレームにおいては、モダン装着軸対応部１３７が、テンプル本体半部対応部１３３Ｕ，１３３Ｌの一方、図示例では上部のテンプル本体半部対応部１３３Ｕの端部にモダン装着軸対応部１３７が連結され、モダン装着軸対応部１３７を折り返した後、テンプル本体半部対応部１３３Ｕ，１３３Ｌの分割面同士を接合する構成となっている。図示例では、テンプル本体半部対応部１３３Ｕ，１３３Ｌの接合面には、互いに噛み合う歯部が形成されている。
【００４６】
図１７は、フロントパーツの他の実施例を示している。
このフロントパーツ４２０は、フロントフレーム１０のより中央に近い位置、図示例では、ブリッジ部１３の範囲に一対の連結部４１７を介して連結されている。
この例では、パーツ本体部４２１は、逆Ｕ字形状に後方に突出する構成で、この突出片から固定片が直角に折曲させている。パーツ本体部４２１にレンズの木端面が当接することで、回り止めが図られている。
プレフレーム１００においては、フロントパーツ対応部４２０の本体対応部５２１はフロントフレーム対応部１１０の上縁にそって所定幅で延びる帯状体で、連結片４１７を介して９０°後方に曲げて、逆Ｕ字状に成形される。
【００４７】
なお、上記説明では、レンズ固定部を設けたフロントパーツが、フロントフレームの後面側に設けられているが、後面側に限定されるものではなく、フロントフレームの前面側に設けられていてもよい。そして、ブリッジ部側はレンズに対して前方又は後方に位置し、ブリッジ部からヨロイ部に向けて途中で湾曲してレンズと交差し、ヨロイ部側がレンズに対して後方又は前方に位置する構成となっていることが好適である。  また、フロントパーツによってレンズを一点で固定するようになっているが、一点で固定する場合に限定されず、たとえば、２点で支持してもよいし、ねじを使わないでフロントパーツに細いリム線を形成し、レンズ外周に巻いて支持するようにしてもよい。要するに、フロントパーツはフロントフレームと連結部を介して連結されてはいるものの、フロントフレームとは離れていて、フロントフレームにはレンズは非接触であり、テンプルやフロントフレームの変形がフロントパーツに直接影響しないようになっていればよい。
【符号の説明】
【００４８】
１  眼鏡フレーム
２  レンズ
１０  フロントフレーム
１１  疑似リム部
１３  ブリッジ部
１５  ヨロイ部
２０  フロントパーツ
２１  パーツ本体部
２２  アーム部
２３  パッド足
２３ｃ  軸部
２３ｂ  屈曲部
２３ｄ  パッド固定枠
２５  レンズ固定片
２６  支持片
３０  テンプル
３１  折り返し部
３３  テンプル本体部
３５  後端折り返し部
３７  モダン装着軸
４０  モダン
５０  ノーズパッド
１００  眼鏡フレーム成形用プレフレーム
１１０  フロントフレーム対応部
１１１  疑似リム対応部
１１３  ブリッジ対応部
１１５  ヨロイ対応部
１２０  フロントパーツ対応部
１２１  パーツ本体対応部
１２２  アーム対応部
１２３  パッド足対応部
２３ｃ  軸対応部
２３ｂ  屈曲部
２３ｄ  パッド固定枠
２５  レンズ固定片
１２６  支持片対応部
１３０  テンプル対応部
１３３  テンプル本体対応部
１３７  モダン装着軸対応部
【図１】
0006016008.tif 000002
【図２】
0006016008.tif 000003
【図３】
0006016008.tif 000004
【図４】
0006016008.tif 000005
【図５】
0006016008.tif 000006
【図６】
0006016008.tif 000007
【図７】
0006016008.tif 000008
【図８】
0006016008.tif 000009
【図９】
0006016008.tif 000010
【図１０】
0006016008.tif 000011
【図１１】
0006016008.tif 000012
【図１２】
0006016008.tif 000013
【図１３】
0006016008.tif 000014
【図１４】
0006016008.tif 000015
【図１５】
0006016008.tif 000016
【図１６】
0006016008.tif 000017
【図１７】
0006016008.tif 000018